【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルポリシコントローラ（ＤＰＣ）プロセッサを備えるＤＰＣと、
第１の通信リンクを介して前記ＤＰＣと結合された第１の動的スペクトルコントローラ（ＤＳＣ）プロセッサを備える、第１の電気通信ネットワークの第１のＤＳＣと、
第２の通信リンクを介して前記ＤＰＣと結合された第２のＤＳＣプロセッサを備える、第２の電気通信ネットワークの第２のＤＳＣと、
第３の通信リンクを介して前記第２のＤＳＣと結合されたｅＮｏｄｅＢプロセッサを備える、前記第２の電気通信ネットワークのｅＮｏｄｅＢとを備え、
前記第１のＤＳＣプロセッサが、
動的スペクトルアービトラージアプリケーションパート（ＤＳＡＡＰ）プロトコルを使用して前記第１の通信リンクを介して前記ＤＰＣと通信すること、
前記第２の電気通信ネットワーク及び少なくとも１つの他の電気通信ネットワークを含む異なるネットワークによる割り当てに対して利用可能にされた資源を特定する情報を受信するため、前記ＤＳＡＡＰプロトコルを介し、前記第２のＤＳＣ及び少なくとも１つの他のＤＳＣと通信すること、
受信された前記情報を使用して前記異なるネットワークによる割り当てに対して利用可能にされた前記資源をプールすること、
前記第１の電気通信ネットワークのワイヤレスデバイスによるアクセス及び使用のために前記資源のプールの一部分を割り当てるため、前記ＤＳＡＡＰプロトコルを介して前記第１のＤＳＣと通信することを含む動作をプロセッサ実行可能命令を用いて実行するように構成され、
前記第２のＤＳＣプロセッサが、プロセッサ実行可能命令を用いて、
前記ＤＳＡＡＰプロトコルを使用して前記第２の通信リンクを介して前記ＤＰＣと通信することを含む動作を実行するように構成され、
前記ｅＮｏｄｅＢプロセッサが、プロセッサ実行可能命令を用いて、
前記ＤＳＡＡＰプロトコルを使用して前記第３の通信リンクを介して前記第２のＤＳＣと通信することを含む動作を実行するように構成される、動的スペクトルアービトラージ（ＤＳＡ）システム。
【請求項２】
前記第１及び第２の通信リンクがＸｄインタフェース上で定義され、且つ
前記第３の通信リンクがＸｅインタフェース上で定義される、請求項１に記載のＤＳＡシステム。
【請求項３】
前記ｅＮｏｄｅＢプロセッサが、
ネットワーク状態をモニタリングすること、
前記モニタリングの結果に基づいてレポートを生成すること、
前記第３の通信リンクを介して前記第２のＤＳＣに生成された前記レポートを送信することをさらに含む動作を、プロセッサ実行可能命令を用いて実行するように構成される、請求項１に記載のＤＳＡシステム。
【請求項４】
前記第２のＤＳＣプロセッサが、
前記第３の通信リンクを介して、前記ｅＮｏｄｅＢから前記レポートを受信すること、
受信された前記レポートに含まれる情報を使用して前記第１の電気通信ネットワークによる割り当て及び使用に対して利用可能な余分なネットワーク資源が前記第２の電気通信ネットワークにあるかどうかを判断することを含む動作をプロセッサ実行可能命令を用いて実行するように構成される、請求項３に記載のＤＳＡシステム。
【請求項５】
前記第２のＤＳＣプロセッサが、資源と関連付けられた地理的境界を決定することをさらに含む動作をプロセッサ実行可能命令を用いて実行するように構成され、
前記第２のＤＳＣプロセッサは、前記ＤＳＡＡＰプロトコルを使用して前記第２の通信リンクを介して前記ＤＰＣと通信することが前記第３の通信リンクを介して前記ｅＮｏｄｅＢに決定された前記地理的境界を特定する情報を送信することを含むように、プロセッサ実行可能命令を用いて動作を実行するように構成される、請求項１に記載のＤＳＡシステム。
【請求項６】
前記ＤＰＣプロセッサが、
前記第２の通信リンクを介して前記第２のＤＳＣからユーザトラフィック及び資源使用情報を受信し、
受信された前記ユーザトラフィック及び資源使用情報を使用して前記第２の電気通信ネットワークのトラフィック及び資源使用をモニタリングし、
前記モニタリングの結果に基づいて、前記第２の電気通信ネットワークの資源を前記第１の電気通信ネットワークに割り当てるため、前記第１の通信リンクを介して前記第１のＤＳＣと通信すること
を含む動作をプロセッサ実行可能命令を用いて実行するように構成される、請求項１に記載のＤＳＡシステム。
【請求項７】
前記ＤＰＣプロセッサが、
前記第１の通信リンクを介して前記第１のＤＳＣから入札情報を受信し、
前記第１の通信リンクを介して前記第１のＤＳＣに入札通知情報を送信すること
を含む動作をプロセッサ実行可能命令を用いて実行するように構成される、請求項１に記載のＤＳＡシステム。
【請求項８】
前記ＤＰＣプロセッサが、
前記第１の通信リンクを介して前記第１のＤＳＣから登録情報を受信し、
前記受信された登録情報を使用して前記第１のＤＳＣを認証し、
前記第１のＤＳＣの認証に応答してＤＳＣ識別子を前記ＤＰＣの登録メモリに格納し、
複数の情報要素を含む登録受諾メッセージを生成し、
前記第１の通信リンクを介して前記第１のＤＳＣに生成された前記登録受諾メッセージを送信すること
を含む動作をプロセッサ実行可能命令を用いて実行するように構成される、請求項１に記載のＤＳＡシステム。
【請求項９】
前記ＤＰＣプロセッサは、前記ＤＳＡＡＰプロトコルを使用して前記第１の通信リンクを介して前記ＤＰＣと通信することが
前記第１の通信リンクを介して前記ＤＰＣからインボイスを受信すること
を含むように、プロセッサ実行可能命令を用いて動作を実行するように構成される、請求項１に記載のＤＳＡシステム。
【請求項１０】
前記第２のＤＳＣプロセッサは、
前記第２のＤＳＣによってサービス提供される前記第２の電気通信ネットワークのセル内に割り当てに対して利用可能な資源があるかどうかを判断し、
前記第２のＤＳＣによってサービス提供される前記セル内に割り当てに対して利用可能な資源があるという判断に応答して資源登録要求メッセージを生成すること
を含む動作をプロセッサ実行可能命令を用いて実行するように構成され、
前記第２のＤＳＣプロセッサは、前記ＤＳＡＡＰプロトコルを使用して前記第２の通信リンクを介して前記ＤＰＣと通信することが
前記第２の通信リンクを介して前記ＤＰＣに前記生成された資源登録要求メッセージを送信すること
を含むように、プロセッサ実行可能命令を用いて動作を実行するように構成される、請求項１に記載のＤＳＡシステム。
【請求項１１】
前記第１のＤＳＣプロセッサは、利用可能な入札要求メッセージを生成することをさらに含む動作をプロセッサ実行可能命令を用いて実行するように構成され、且つ
前記第１のＤＳＣプロセッサは、動的スペクトルアービトラージアプリケーションパート（ＤＳＡＡＰ）プロトコルを使用して前記第１の通信リンクを介して前記ＤＰＣと通信することが、
前記第１の通信リンクを介して前記ＤＰＣに生成された前記利用可能な入札要求メッセージを送信し、
前記生成された利用可能な入札要求メッセージの送信に応答して前記第１の通信リンクを介して前記ＤＰＣから前記第２の電気通信ネットワークによる割り当てに対して利用可能にされている資源に関する情報を受信すること
を含むように、プロセッサ実行可能命令を用いて動作を実行するように構成される、請求項１に記載のＤＳＡシステム。
【請求項１２】
前記ＤＰＣプロセッサは、
前記第１の通信リンクを介し、入札を含む入札要求メッセージを前記第１のＤＳＣから受信し、
前記入札が前記第２の電気通信ネットワークの要件に準拠するどうかを判断することによって、前記入札が有効であるかどうかを判断し、
前記入札が有効であるという判断に応答して前記第１の通信リンクを介して前記第１のＤＳＣに入札受諾メッセージを送信し、
前記入札が有効ではないという判断に応答して前記第１の通信リンクを介して前記第１のＤＳＣに入札拒否メッセージを送信すること
を含む動作をプロセッサ実行可能命令を用いて実行するように構成される、請求項１に記載のＤＳＡシステム。
【請求項１３】
前記第２のＤＳＣプロセッサは、前記ＤＳＡＡＰプロトコルを使用して前記第２の通信リンクを介して前記ＤＰＣと通信することが、前記第１の電気通信ネットワークのワイヤレスデバイスによるアクセス及び使用のために前記ＤＰＣと通信して前記第２の電気通信ネットワークのセルの資源を割り当てることを含むように、プロセッサ実行可能命令を用いて動作を実行するように構成され、且つ
前記第２のＤＳＣプロセッサは、
前記セルが混雑しているかどうかを判断するため、セルトラフィックをモニタし、
前記セルが混雑しているという判断に応答し、前記第２の通信リンクを介し、前記セルの前記割り当てられた資源を使用する前記ワイヤレスデバイスを選択的にハンドオーバするという前記第１のＤＳＣへの指示を前記ＤＰＣに行わせるのに適した情報を含むバックオフコマンドメッセージを前記ＤＰＣに送信すること
を含む動作をプロセッサ実行可能命令を用いて実行するように構成される、請求項１に記載のＤＳＡシステム。
【請求項１４】
前記ＤＰＣプロセッサは、
前記第２のＤＳＣから前記バックオフコマンドメッセージを受信し、
前記ＤＳＡＡＰプロトコルを使用して前記第１のＤＳＣと通信することで、前記第１のＤＳＣに前記第１の電気通信ネットワークの対象セルを選択させて前記セルの前記割り当てられた資源を使用する前記ワイヤレスデバイスをハンドオフすること
を含む動作をプロセッサ実行可能命令を用いて実行するように構成される、請求項１３に記載のＤＳＡシステム。
【請求項１５】
動的スペクトルアービトラージアプリケーションパート（ＤＳＡＡＰ）プロトコルを使用して第１の通信リンクを介して動的スペクトルポリシコントローラ（ＤＰＣ）と第１の電気通信ネットワークの第１の動的スペクトルコントローラ（ＤＳＣ）との間で情報を伝達し、
前記ＤＳＡＡＰプロトコルを使用して第２の通信リンクを介して前記ＤＰＣと第２の電気通信ネットワークの第２のＤＳＣとの間で情報を伝達し、
前記ＤＳＡＡＰプロトコルを使用して第３の通信リンクを介して前記第２の電気通信ネットワークのｅＮｏｄｅＢと前記第２のＤＳＣとの間で情報を伝達し、
前記第２の電気通信ネットワーク及び少なくとも１つの他の電気通信ネットワークを含む異なるネットワークによる割り当てに対して利用可能にされた資源を特定する情報を前記ＤＰＣで受信し、
受信された前記資源を特定する情報を使用して前記異なるネットワークによる割り当てに対して利用可能にされた前記資源をプールすることを含み、
前記ＤＳＡＡＰプロトコルを使用して前記第１の通信リンクを介して前記ＤＰＣと前記第１の電気通信ネットワークの第１のＤＳＣとの間で情報を伝達することが、
前記第１の電気通信ネットワークのワイヤレスデバイスによるアクセス及び使用のために前記資源のプールの一部分を割り当てるため、前記第１の通信リンクを介して前記第１のＤＳＣに資源割り当て情報を送信することを含む、動的スペクトルアービトラージ（ＤＳＡ）方法。